(57)【要約】【課題】複数の油圧ポンプを搭載した作業車両において、エンジンの目標回転数と実回転数との偏差が大きい場合には、各油圧ポンプごとに最適なエンジン負荷低減制御を行うことが可能な作業車両のエンジン負荷制御装置を提供する。【解決手段】エンジン負荷制御装置３０は、エンジン１の出力を、ローダ用油圧ポンプ８のような可変容量型油圧ポンプを介してローダ用油圧シリンダ１４等の油圧アクチュエータに伝達するホイルローダ５０に搭載されている。コントローラ１８は、エンジン回転数センサ１ａおよびストロークセンサ１７ａにおいて検出されたエンジン１の目標回転数Ｎｅと実回転数Ｎｏとの偏差Ｎｅ−Ｎｏに基づいて、予め記憶部２２に格納されているマップを参照して、各油圧ポンプ７〜９の最大吸収トルクの合計値を調整するとともに、この最大吸収トルクの合計値を各油圧ポンプ７〜９に対して適切に配分する。【選択図】図６
2008169593.tif 000002
【特許請求の範囲】
【請求項１】
回転数指示装置によって回転数が制御されるエンジンの出力が、駆動輪に伝達されるとともに複数の可変容量型油圧ポンプを介して複数の油圧アクチュエータに伝達される作業車両のエンジン負荷制御装置であって、
前記回転数指示装置からの指示内容を受けて前記エンジンの目標回転数を検出する目標回転数検出部と、
前記エンジンの実際の回転数を検出する実回転数検出部と、
前記目標回転数検出部における検出結果と前記実回転数検出部における検出結果との差を算出する偏差量算出部と、
前記エンジンの前記目標回転数と前記実際の回転数との偏差量と、前記複数の可変容量型油圧ポンプの最大吸収トルクとの関係を定めたマップを格納した記憶部と、
前記実回転数検出部における検出結果と、前記偏差量算出部における算出結果とに基づいて、前記記憶部に格納された前記マップを参照して、前記複数の可変容量型油圧ポンプに対する最大吸収トルクを設定し、前記複数の可変容量型油圧ポンプの総吸収トルクを低減する制御を行う制御部と、
を備えている作業車両のエンジン負荷制御装置。
【請求項２】
回転数指示装置によって回転数が制御されるエンジンの出力が、駆動輪に伝達されるとともに複数の可変容量型油圧ポンプを介して複数の油圧アクチュエータに伝達される作業車両のエンジン負荷制御装置であって、
前記回転数指示装置からの指示内容を受けて前記エンジンの目標回転数を検出する目標回転数検出部と、
前記エンジンの実際の回転数を検出する実回転数検出部と、
前記目標回転数検出部における検出結果と前記実回転数検出部における検出結果との差を算出する偏差量算出部と、
前記エンジンの前記目標回転数と前記実際の回転数との偏差と、前記エンジンの実際の回転数と、前記複数の可変容量型油圧ポンプの最大吸収トルクと、の関係を定めたマップを格納した記憶部と、
前記実回転数検出部における検出結果に応じて前記マップを参照し、前記複数の可変容量型油圧ポンプに対する吸収トルクの配分を決定する制御部と、
請求項１に記載の作業車両のエンジン負荷制御装置。
【請求項３】
前記マップには、前記複数の可変容量型油圧ポンプの重要度に応じて、前記複数の可変容量型油圧ポンプごとに前記最大吸収トルクの前記配分比率が設定されている、
請求項１または２に記載の作業車両のエンジン負荷制御装置。
【請求項４】
前記マップには、前記エンジンの前記目標回転数と前記実際の回転数との偏差に応じて、前記複数の可変容量型油圧ポンプごとに前記最大吸収トルクの合計値の上限が設定されている、
請求項１または２に記載の作業車両のエンジン負荷制御装置。
【請求項５】
前記マップには、前記エンジンの前記実回転数に応じて、前記複数の可変容量型油圧ポンプごとに前記最大吸収トルクの合計値の上限が設定されている、
請求項２に記載の作業車両のエンジン負荷制御装置。
【請求項６】
前記複数の可変容量型油圧ポンプには、ステアリング用油圧ポンプ、ファン用油圧ポンプ、ローダ用油圧ポンプのうち少なくとも１つが含まれる、
請求項１から５のいずれか１項に記載の作業車両のエンジン負荷制御装置。
【請求項７】
前記制御部は、前記可変容量型油圧ポンプにおける吐出量を制御するＥＰＣ電流を制御して、前記可変容量型油圧ポンプの最大吸収トルクを低減する制御を行う、
請求項１から６のいずれか１項に記載の作業車両のエンジン負荷制御装置。
【請求項８】
前記回転数指示装置は、前記エンジンの回転数を調整するアクセルペダルである、
請求項１から７のいずれか１項に記載の作業車両のエンジン負荷制御装置。
【発明の詳細な説明】
【技術分野】
【０００１】
本発明は、エンジンの出力が、駆動輪に伝達されるとともに複数の可変容量型油圧ポンプを介して作業機用油圧アクチュエータを含む複数の油圧アクチュエータに伝達される作業車両のエンジン負荷制御装置に関する。
【背景技術】
【０００２】
一般的に、ホイルローダ等の作業車両では、エンジンが走行用駆動源および作業機用駆動源となっている。すなわち、エンジンの出力がトルクコンバータを介して駆動輪に伝達されることで、車両を走行させることができる。また、エンジンは、作業機の油圧ポンプを含む各種の油圧ポンプを駆動し、この油圧ポンプが油圧アクチュエータを介して作業機等の各種の装置を駆動する。具体的には、例えば、エンジンがステアリング用油圧ポンプを駆動すると、ステアリング用油圧ポンプから吐出された圧油がステアリング用油圧シリンダに供給されてステアリング機構を駆動することができる。また、エンジンがローダ用油圧ポンプを駆動すると、ローダ用油圧ポンプから吐出された圧油がローダ用油圧シリンダに供給されてローダを駆動することができる。
【０００３】
このようにホイルローダでは、１つのエンジンの出力が走行駆動用および作業機等の各種装置の駆動用の双方に用いられる。このため、作業機等にかかる負荷の大きさに応じて、走行駆動用として使用されるエンジン出力の大きさが変化してしまうことになる。
例えば、エンジン回転数がローアイドル回転数（アイドリング状態）にある場合は、エンジン回転数が高回転域にあるときと比較して、急激な油圧負荷の上昇に対するエンジントルクの上昇が鈍くなる。したがって、アイドリング状態で、ステアリングを切りながら積み荷が積み込まれたローダを持ち上げるという、高油圧負荷が急激にかかる作業を行うと、急激な油圧負荷上昇にエンジンのトルク上昇が追いつかず、エンジンが停止する場合がある。
【０００４】
また、走行しながらローダやステアリング機構を作動させる状況下では、エンジン出力が作業機用およびステアリング用油圧負荷として消費されるために、それを差し引いたエンジン出力分しか走行負荷に対して使用することができない。このため、十分な牽引力が得られなかったり、あるいは車速を上昇させるために長時間を要したりする等、オペレータのアクセル操作に対するレスポンスが低下する。
【０００５】
例えば、特許文献１には、目標回転数と実回転数との偏差に基づいて油圧ポンプの最大吸収トルクを制御するスピードセンシング制御を行う際に、エンジン出力に余裕がある場合には、エンジン出力を有効に利用することが可能な油圧建設機械のポンプトルク制御装置が開示されている。
また、特許文献２には、エンジンの実回転数がしきい値以下に低下したと判断すると、可変容量型油圧ポンプの吸収トルクを低下させ、急激な負荷がかかった場合のエンジン停止を防止するエンジン負荷制御装置が開示されている。
【特許文献１】特開２００４−１０８１５５号公報（平成１６年４月８日公開）
【特許文献２】特開２００６−７０８７７号公報（平成１８年３月１６日公開）
【発明の開示】
【発明が解決しようとする課題】
【０００６】
しかしながら、上記従来のポンプトルク制御装置では、以下に示すような問題点を有している。
すなわち、上記公報に開示されたポンプトルク制御装置では、目標回転数と実回転数との偏差、あるいはエンジンの実回転数に基づいて、ポンプの最大吸収トルクを制御しているが、複数のポンプを搭載した作業車両においては各ポンプごとに操作上の重要度が異なっており、全てのポンプについて同様の制御を行ったのでは、作業機レバーやステアリング等の操作によるレスポンスが悪くなり、作業性の低下を招くおそれがある。
【０００７】
本発明の課題は、複数の油圧ポンプを搭載した作業車両において、エンジンの目標回転数と実回転数との偏差が大きい場合には、各油圧ポンプごとに最適なエンジン負荷低減制御を行うことが可能な作業車両のエンジン負荷制御装置を提供することにある。
【課題を解決するための手段】
【０００８】
第１の発明に係る作業車両のエンジン負荷制御装置は、回転数指示装置によって回転数が制御されるエンジンの出力が、駆動輪に伝達されるとともに複数の可変容量型油圧ポンプを介して複数の油圧アクチュエータに伝達される作業車両のエンジン負荷制御装置であって、目標回転数検出部と、実回転数検出部と、偏差量算出部と、記憶部と、制御部と、を備えている。目標回転数検出部は、回転数指示装置からの指示内容を受けてエンジンの目標回転数を検出する。実回転数検出部は、エンジンの実際の回転数を検出する。偏差量算出部は、目標回転数検出部における検出結果と実回転数検出部における検出結果との差を算出する。記憶部は、エンジンの目標回転数と実際の回転数との偏差量と、複数の可変容量型油圧ポンプの最大吸収トルクとの関係を定めたマップを格納している。制御部は、実回転数検出部における検出結果と、偏差量算出部における算出結果とに基づいて、記憶部に格納されたマップを参照して、複数の可変容量型油圧ポンプに対する最大吸収トルクを設定し、複数の可変容量型油圧ポンプの総吸収トルクを低減する制御を行う。
【０００９】
ここでは、制御部が、エンジンの目標回転数と実回転数とを検出し、これらの偏差量と実回転数とに基づいて、記憶部に格納されているエンジンの目標回転数と実際の回転数との偏差の大きさと複数の可変容量型油圧ポンプの最大吸収トルクとの関係を示すマップを参照して、各可変容量型油圧ポンプに対する最大吸収トルクを設定する。
ここで、上記複数の可変容量型油圧ポンプには、例えば、ステアリング用油圧ポンプや作業機を駆動するローダ用油圧ポンプ等が含まれる。また、上記マップとしては、エンジンの実回転数、目標回転数と実回転数との偏差と、各可変容量型油圧ポンプの最大吸収トルクとの関係を示すグラフ等が、記憶部内に１または複数格納されているものとする。
【００１０】
これにより、例えば、上記エンジンの回転数差が比較的大きい場合には、上記マップを参照して、できるだけ早くエンジンの実回転数を目標回転数に近づけるために複数の可変容量型油圧ポンプの総吸収トルクを低減するとともに、低減された総吸収トルクを各可変容量型油圧ポンプに対して適切に配分することができる。この結果、単純に、複数の可変容量型油圧ポンプの最大吸収トルクを均一に低減する制御と比較して、各可変容量型油圧ポンプの特性や重要度に応じて最適な制御を行うことで、作業性の高い作業車両を提供できる。
【００１１】
第２の発明に係る作業車両のエンジン負荷制御装置は、回転数指示装置によって回転数が制御されるエンジンの出力が、駆動輪に伝達されるとともに複数の可変容量型油圧ポンプを介して複数の油圧アクチュエータに伝達される作業車両のエンジン負荷制御装置であって、目標回転数検出部と、実回転数検出部と、偏差量算出部と、記憶部と、制御部と、を備えている。目標回転数検出部は、回転数指示装置からの指示内容を受けてエンジンの目標回転数を検出する。実回転数検出部は、エンジンの実際の回転数を検出する。偏差量算出部は、目標回転数検出部における検出結果と実回転数検出部における検出結果との差を算出する。記憶部は、エンジンの目標回転数と実際の回転数との偏差と、エンジンの実際の回転数と、複数の可変容量型油圧ポンプの最大吸収トルクと、の関係を定めたマップを格納している。制御部は、実回転数検出部における検出結果に応じてマップを参照し、複数の可変容量型油圧ポンプに対する吸収トルクの配分を決定する。
【００１２】
ここでは、制御部が、エンジンの目標回転数と実回転数とを検出し、エンジンの実回転数に基づいて、記憶部に格納されているエンジンの目標回転数と実際の回転数との偏差の大きさ、エンジンの実回転数、複数の可変容量型油圧ポンプの最大吸収トルクの関係を示す３次元のマップを参照して、各可変容量型油圧ポンプに対する最大吸収トルクを設定する。
【００１３】
ここで、上記複数の可変容量型油圧ポンプには、例えば、ステアリング用油圧ポンプや作業機を駆動するローダ用油圧ポンプ等が含まれる。また、上記マップとしては、エンジンの実回転数、目標回転数と実回転数との偏差と、各可変容量型油圧ポンプの最大吸収トルクとの関係を示す３次元のグラフ等が、記憶部内に１または複数格納されているものとする。
【００１４】
これにより、例えば、上記エンジンの回転数差とエンジンの実回転数との関係に基づいて、上記マップを参照して、できるだけ早くエンジンの実回転数を目標回転数に近づけるために複数の可変容量型油圧ポンプの総吸収トルクを低減するとともに、低減された総吸収トルクを各可変容量型油圧ポンプに対して適切に配分することができる。この結果、単純に、複数の可変容量型油圧ポンプの最大吸収トルクを均一に低減する制御と比較して、各可変容量型油圧ポンプの特性や重要度に応じて最適な制御を行うことで、作業性の高い作業車両を提供できる。
【００１５】
第３の発明に係る作業車両のエンジン負荷制御装置は、第１または第２の発明に係る作業車両のエンジン負荷制御装置であって、マップには、複数の可変容量型油圧ポンプの重要度に応じて、複数の可変容量型油圧ポンプごとに最大吸収トルクの配分比率が設定されている。
ここでは、記憶部に格納されたマップとして、各可変容量型油圧ポンプの重要度に応じて、各可変容量型油圧ポンプの最大吸収トルクの配分が設定されたマップを用いている。
これにより、各可変容量型油圧ポンプに対する吸収トルクの配分比率を設定する前に、まずは各可変容量型油圧ポンプの最大吸収トルクの合計に上限を設定することで、各可変容量型油圧ポンプへの吸収トルクの配分比率に関わらず、確実にエンジンにかかる負荷を低減することができる。
【００１６】
第４の発明に係る作業車両のエンジン負荷制御装置は、第１または第２の発明に係る作業車両のエンジン負荷制御装置であって、マップには、エンジンの目標回転数と実際の回転数との偏差に応じて、複数の可変容量型油圧ポンプごとに最大吸収トルクの合計値の上限が設定されている。
【００１７】
ここでは、記憶部に格納されているマップとして、上記偏差の大きさに応じて各可変容量型油圧ポンプの最大吸収トルクの合計値の上限値が設定されたマップを用いている。
これにより、例えば、実回転数が比較的大きい場合には、エンジンの出力も上昇してきているため、各可変容量型油圧ポンプの重要度に関わらず均一に近い配分比率で最大吸収トルクを設定することができる。一方、実回転数が比較的小さい場合には、エンジンの出力が低いため、各可変容量型油圧ポンプの重要度を考慮して重要度が高い可変容量型油圧ポンプには多く配分するように配分比率を決定することができる。この結果、エンジンの出力に応じて、各可変容量型油圧ポンプに対して適切に吸収トルクを配分することができる。
【００１８】
第５の発明に係る作業車両のエンジン負荷制御装置は、第２の発明に係る作業車両のエンジン負荷制御装置であって、マップには、エンジンの実回転数に応じて、複数の可変容量型油圧ポンプごとに最大吸収トルクの合計値の上限が設定されている。
ここでは、記憶部に格納されているマップとして、上記エンジンの実回転数に応じて、複数の可変容量型油圧ポンプごとに最大吸収トルクの合計値の上限が設定されている。
【００１９】
これにより、エンジンの実回転数、目標回転数と実回転数との偏差、各可変容量型油圧ポンプの最大吸収トルクの３次元マップを参照して、特に、検出された実回転数に基づいて設定された各可変容量型油圧ポンプの最大吸収トルクの合計値の上限値を超えないように、各可変容量型油圧ポンプに対して最大吸収トルクを設定することができる。この結果、エンジンの実回転数に応じて、各可変容量型油圧ポンプに対して適切に吸収トルクを配分することができる。
【００２０】
第６の発明に係る作業車両のエンジン負荷制御装置は、第１から第５の発明のいずれか１つに係る作業車両のエンジン負荷制御装置であって、複数の可変容量型油圧ポンプには、ステアリング用油圧ポンプ、ファン用油圧ポンプ、ローダ用油圧ポンプのうち少なくとも１つが含まれる。
ここでは、作業車両の進行方向を決定するステアリングに対応するステアリング用油圧ポンプ、冷却ユニット等に含まれる冷却ファンを駆動するファン用油圧ポンプ、作業機を駆動するローダ用油圧ポンプ等の複数の可変容量型油圧ポンプを、エンジン負荷低減制御の制御対象として含んでいる。
【００２１】
これにより、例えば、安全面から作業時に最も重要度が高いステアリング用油圧ポンプについては、吸収トルクの配分比率を高めに設定し、影響が比較的少ないファン用油圧ポンプについては、吸収トルクの配分比率を低めに設定することができる。この結果、安全面や作業面において重要度が異なる複数の油圧ポンプについて優先度を設定することで、適切に吸収トルクを配分して、エンジンの吹き上がり性とともに作業性の低下も防止することができる。
【００２２】
第７の発明に係る作業車両のエンジン負荷制御装置は、第１から第６の発明のいずれか１つに係る作業車両のエンジン負荷制御装置であって、制御部は、可変容量型油圧ポンプにおける吐出量を制御するＥＰＣ電流を制御して、可変容量型油圧ポンプの最大吸収トルクを低減する制御を行う。
ここでは、可変容量型油圧ポンプの最大吸収トルクを低減する際には、制御部は、可変容量型油圧ポンプの吐出量を調整するＥＰＣ電流を制御する。
【００２３】
これにより、可変容量型油圧ポンプにおける最大吸収トルクの大きさを、可変容量型油圧ポンプの吐出量の調整によって容易に制御することができる。
【００２４】
第８の発明に係る作業車両のエンジン負荷制御装置は、第１から第７の発明のいずれか１つに係る作業車両のエンジン負荷制御装置であって、回転数指示装置は、エンジンの回転数を調整するアクセルペダルである。
ここでは、回転数指示装置としてアクセルペダルを用いている。
これにより、目標回転数検出部では、アクセルペダルの踏込み量に応じて、目標回転数を容易に検出することができる。
【発明の効果】
【００２５】
本発明に係る作業車両のエンジン負荷制御装置によれば、単純に複数の可変容量型油圧ポンプの最大吸収トルクを均一に低減する制御と比較して、各可変容量型油圧ポンプの特性や重要度に応じて最適な制御を行うことで、作業性の高い作業車両を提供できる。
【発明を実施するための最良の形態】
【００２６】
本発明の一実施形態に係る油圧回路の制御装置を搭載したホイルローダについて、図１〜図９を用いて説明すれば以下の通りである。
［ホイルローダ５０の構成］
本発明の一実施形態に係るホイルローダ（作業車両）５０は、図１に示すように、車体５１と、車体の前部に装着されたリフトアーム５２と、このリフトアーム５２の先端に取り付けられたバケット５３と、車体５１を支持しながら回転して車体を走行させる４本のタイヤ５４と、車体５１の上部に搭載されたキャブ５５と、を備えている。
【００２７】
車体５１は、エンジン１（図２参照）を収納するエンジンルームと、リフトアーム５２およびバケット５３を駆動するための制御バルブ、アクチュエータ（油圧シリンダ１３，１４、油圧モータ１５）等を制御するコントローラ（制御部、偏差量算出部）１８（図２参照）と、を有している。また、車体５１には、図２に示すように、上記エンジン１やコントローラ１８等が搭載されている。なお、図２に示す制御ブロックの構成については、後段にて詳述する。
【００２８】
リフトアーム５２は、先端に取り付けられたバケット５３を持ち上げるためのアーム部材であって、併設されたリフトシリンダによって駆動される。
バケット５３は、リフトアーム５２の先端に取り付けられており、バケットシリンダによってダンプおよびチルトされる。
キャブ５５は、転倒時運転者保護構造（ＲＯＰＳ構造）を有し、複数の鋼管と鋼板とを組み合わせて構成されるオペレータ用の運転室を形成している。そして、キャブ５５は、車体５１の中央部分よりもやや前方に配置されている。
【００２９】
［ホイルローダ５０の内部構成］
（主な構成）
ホイルローダ５０は、図２に示すように、主に、エンジン１と、このエンジン１によって駆動される走行側の機構および作業機側の機構や、これらの機構を制御するためのコントローラ１８等を含むエンジン負荷制御装置（作業車両のエンジン負荷制御装置）３０を、内部に備えている。そして、エンジン１と各機構との間には、歯車および軸からなるＰＴＯ（パワー・テイク・オフ）機構６が設けられている。
【００３０】
エンジン１は、ディーゼルエンジンであって、その出力の制御はシリンダ内に噴射する燃料の量を調整することで行われる。このようなシリンダ内に噴射する燃料の量の調整は、エンジン１の燃料ポンプに付設されたガバナを制御することで行われる。本実施形態では、ガバナとして一般的なオールスピード制御方式のガバナが用いられる。すなわち、ガバナによって、アクセルペダル（回転数指示装置）１７の踏込み量に応じた目標回転数と実際のエンジン回転数との差がなくなるように、燃料噴射量が増減される。
【００３１】
走行側機構は、エンジン１の出力が入力されるトルクコンバータ２と、トルクコンバータ２に連結されたトランスミッション３と、トランスミッション３の出力軸に連結されたデファレンシャルギア４と、駆動輪５とを有している。トランスミッション３は、前進用油圧クラッチ、後進用油圧クラッチ、複数の変速用クラッチ等を備えており、各油圧クラッチをオン、オフ制御することにより、前後進の切り換えおよび変速が行われる。
【００３２】
このホイルローダ５０は、エンジン１によって駆動される機構として、走行系の機構以外に、主に、ステアリング機構（図示せず）、車体の前部に設けられたリフトアーム５２やバケット５３等のローダ、およびファン１６を有している。
これらの各機構を駆動するために、油圧ポンプ（可変容量型油圧ポンプ）７〜９およびアクチュエータ（油圧シリンダ１３，１４および油圧モータ１５）が設けられている。すなわち、ステアリング機構を駆動するために、ステアリング用油圧ポンプ７、ステアリング用制御弁１１およびステアリング機構に接続されたステアリング用油圧シリンダ１３が設けられている。また、ローダを駆動するために、ローダ用油圧ポンプ８、ローダ用制御弁１２およびローダに接続されたローダ用油圧シリンダ１４が設けられている。さらに、ファン１６を駆動するために、ファン用油圧ポンプ９およびファン用油圧モータ１５が設けられている。そして、これらの各油圧ポンプ７，８，９は、ＰＴＯ機構６を介してエンジン１に連結されている。また、トルクコンバータ２用として、トルコンチャージポンプ１０も設けられている。このトルコンチャージポンプ１０は、ＰＴＯ機構６を介してエンジン１に連結されている。
【００３３】
なお、ステアリング用油圧ポンプ７、ローダ用油圧ポンプ８およびファン用油圧ポンプ９は、それぞれ斜板７ａ，８ａ，９ａを有する可変容量型油圧ポンプであり、それぞれ斜板７ａ，８ａ，９ａの傾転角を変更することにより、ポンプ容量ｑ（cc/rev）を制御することが可能である。
（エンジン負荷制御のための構成）
さらに、本実施形態のホイルローダ５０では、エンジン１の負荷制御を行うために、図２に示すように、エンジン負荷制御装置３０が、エンジン回転数を検出するエンジン回転数センサ（実回転数検出部）１ａと、アクセルペダル１７の開度を検出するストロークセンサ（目標回転数検出部）１７ａと、ステアリング用油圧ポンプ７ａの吐出圧を検出する吐出圧センサ７ｂと、コントローラ１８と、を有している。
【００３４】
コントローラ１８は、ＣＰＵ、ＲＡＭ、ＲＯＭ等からなるマイクロコンピュータであって、図２に示すように、エンジン回転数センサ１ａのセンサ出力、アクセルペダル１７のストロークセンサ１７ａのセンサ出力、ステアリング用油圧ポンプ７ａの吐出圧センサ７ｂのセンサ出力がそれぞれ入力される。そして、コントローラ１８は、エンジン１、各油圧ポンプ７，８，９に対して制御信号を出力する。
【００３５】
例えば、ローダ側のローダ用油圧ポンプ８を制御するために、図３に示すような制御ブロックが形成されている。なお、図３では、ローダ用油圧ポンプ８を制御するための構成を示しているが、他の可変容量型油圧ポンプ７，９についても同様の制御ブロックが構成されているため、ここではその説明を省略する。
本実施形態では、図３に示すように、油圧ポンプ８の斜板８ａを制御するために、ＰＣ弁（馬力制御弁）１９およびサーボ弁２０が設けられている。ＰＣ弁１９には、油圧ポンプ８の吐出圧Ｐp（kg/cm2）がパイロット圧として入力されるとともに、コントローラ１８からの制御信号ｉ１が入力される。サーボ弁２０には、ＰＣ弁１９からの圧油が供給されており、これにより油圧ポンプ８の容量ｑを制御している。より詳細には、ＰＣ弁１９によって、油圧ポンプ８の吐出圧Ｐpと油圧ポンプ８の容量ｑの積が一定トルクを超えないように、油圧ポンプ８の斜板８ａが制御される。したがって、エンジン１の回転数が一定であれば、油圧ポンプ８の吐出圧Ｐpと油圧ポンプ８の容量ｑの積が一定の馬力を超えないように、油圧ポンプ８の斜板８ａが制御される。
【００３６】
さらに、コントローラ１８には、図４に示すように、アクセルペダル信号（アクセル開度）、エンジン回転数、変速段信号、ＦＮＲ（前進・中立・後進）信号、ブームシリンダボトム圧、ローダ用油圧ポンプ吐出圧、ステアリング用油圧ポンプ吐出圧、およびＴＭ（トランスミッション）スピードセンサ信号等が入力される。そして、コントローラ１８からは、エンジンコントローラ２１に対してスロットル変更信号を出力し、エンジンコントローラ２１からは燃料噴射インジェクタ制御信号が出力される。また、コントローラ１８は、入力されたアクセルペダル信号やエンジン回転数等に応じて、ローダ用油圧ポンプＰＣ−ＥＰＣ電流の最適値を算出し、それを油圧ポンプ８に対して出力する。なお、他の油圧ポンプ７，９に対しても同様に、ステアリング用油圧ポンプＰＣ−ＥＰＣ電流、ファン用油圧ポンプＰＣ−ＥＰＣ電流がそれぞれ出力される。
【００３７】
具体的には、コントローラ１８は、エンジン１の目標回転数と実回転数との偏差の大きさに応じて、エンジン１の吹き上がり性向上およびエンスト防止機能を実現するためのＰＣ−ＥＰＣ電流（mA）を決定する。なお、ＰＣ−ＥＰＣ電流とは、図３に示すコントローラ１８からＰＣ弁１９に出力される制御信号ｉ１に対応しており、電流値が大きいほど斜板８ａの傾転角度が小さくなって油圧ポンプ吐出量が絞られ、油圧ポンプの吸収トルクが小さくなる（ポンプ容量が小さくなる）。よって、このＰＣ−ＥＰＣ電流を制御して、油圧ポンプ８における最大吸収トルクを低下させることで、結果としてエンジン１の負荷を低減することができる。なお、他の油圧ポンプ７，９についても同様である。
【００３８】
＜各機構の動作＞
エンジン１の出力は、図２に示すように、トルクコンバータ２を介してトランスミッション３に入力され、このトランスミッション３において、前後進用油圧クラッチのオン、オフ制御によって前後進が切り換えられる。また、変速用油圧クラッチのオン、オフ制御によって、変速制御が行われる。そして、トランスミッション３の出力は、図２に示すように、デファレンシャルギア４を介して駆動輪５に伝達される。
【００３９】
一方、エンジン１の出力は、図２に示すように、ＰＴＯ機構６を介して各油圧ポンプ７，８，９，１０に伝達され、各油圧ポンプが駆動される。
ステアリング用油圧ポンプ７が駆動されると、図２に示すように、その吐出圧油がステアリング用制御弁１１を介してステアリング用油圧シリンダ１３に供給される。このステアリング用油圧用シリンダ１３に圧油が供給されると、ステアリング機構が作動して車体を所望の方向へ旋回させることができる。なお、ステアリング用制御弁１１のスプールは、図示しないステアリングハンドルの操作に応じて移動する。このため、それに応じてステアリング用制御弁１１の開口面積が変化し、ステアリング用油圧シリンダ１３に供給される流量が変化する。
【００４０】
また、ローダ用油圧ポンプ８が駆動されると、図２に示すように、その吐出圧油がローダ用制御弁１２を介してローダ用油圧シリンダ１４に供給される。ローダ用油圧シリンダ１４に圧油が供給されると、ローダが作動する。すなわち、ローダを構成するブームを上昇あるいは下降させ、バケットをチルトさせることができる。なお、ローダ用制御弁１２のスプールは、図示しない作業機用操作レバーの操作に応じて移動する。このため、それに応じて制御弁１２の開口面積が変化し、ローダ用油圧シリンダ１４に供給される流量が変化する。
【００４１】
ファン用油圧ポンプ９が駆動されると、図２に示すように、その吐出圧油がファン用油圧モータ１５に供給され、冷却用ファン１６が作動する。
トルコンチャージポンプ１０は、固定容量型のギアポンプであって、トルコンチャージポンプ１０が駆動されると、吐出圧油がトルクコンバータ２に供給される。
＜エンジン１の制御＞
次に、アクセルペダル１７によるエンジン１の制御について説明する。図５はエンジン回転数Ｎ、エンジントルクＴeおよび油圧負荷の関係を示したものである。図５において、最大トルク線で規定される領域が、エンジン１が出力し得る性能を示している。エンジン１は、ガバナによって、エンジントルクが最大トルク線を超えて排気煙限界とならないように、またエンジン回転数Ｎがハイアイドル回転数ＮHを超えて過回転とならないように制御される。
【００４２】
例えば、アクセルペダル１７が最大限まで踏込まれると、コントローラ１８によってアクセルペダル１７の踏込み量に応じた最大目標回転数が設定され、ガバナによって、定格点とハイアイドル点ＮHとを結ぶ最高速レギュレーションラインＦｅ上で調速が行われる。アクセルペダル１７の踏込み量が小さくなり、目標回転数が小さくなるに伴って、レギュレーションラインＦe-1，Ｆe-2，・・・Ｆe-n・・・ＦLが順次定められ、各レギュレーションライン上で調速が行われる。
【００４３】
アクセルペダル１７の踏込み量が最小、つまり踏込まれていないときは、目標回転数としてローアイドル回転数ＮLが設定され、ローアイドル点ＮLを結ぶレギュレーションラインＦL上で調速が行われる。このとき、油圧負荷Ｔpが矢印Ａに示すように変動すると、エンジン１の出力とポンプ吸収馬力とが釣り合うマッチング点Ｖは、その変動に従いレギュレーションライン上を移動する。
【００４４】
＜エンジン負荷低減制御＞
本実施形態のエンジン負荷制御装置３０では、まず、エンジン１の目標回転数と実回転数との偏差の大きさに基づいて、ローダ用油圧ポンプ８の吸収トルクを低下させるために、各油圧ポンプ７〜９における吸収トルクの合計の上限値を設定する。
具体的には、例えば、ホイルローダ５０において、ローアイドル状態から作業機用操作レバーとアクセルペダル１７とをほぼ同時に急操作した場合には、コントローラ１８は、予め記憶部２２（図４参照）に格納されている図６に示すグラフ（マップ）を参照して、以下のような制御を行う。
【００４５】
すなわち、コントローラ１８は、アクセルペダル１７の踏込み量に対応するエンジン１の目標回転数と実際のエンジン１の回転数（実回転数）とを、ストロークセンサ１７ａおよびエンジン回転数センサ１ａからの出力として受信する。そして、コントローラ１８は、その目標回転数と実回転数との偏差に応じて、図６に示すグラフを参照して各油圧ポンプ７〜９における最大吸収トルクの合計を抑制するためにその総吸収トルクの上限値を設定する。
【００４６】
これにより、エンジン出力の大部分が油圧ポンプ７〜９側において使われてしまうことを防止して、エンジン回転数をスムーズに上昇させることができる。そして、エンジン回転数センサ１Ａにおいて検出されるエンジン１の実回転数が上昇するにつれて、各油圧ポンプ７〜９の吐出量を増加させるように制御を行うことで、エンジン１の吹き上がり性を向上させつつ、作業機等の操作速度も向上させることができる。このため、オペレータは、自分の踏込み量と近いイメージでエンジン１が吹き上がることを感じることができるため、余計にアクセルペダル１７を踏込んでしまうことはない。よって、作業機用操作レバーとアクセルペダル１７とをほぼ同時に大きく操作した場合にエンジン１が吹き上がらないことに起因する燃費低下を回避することができる。
【００４７】
なお、本実施形態のように、全ての油圧ポンプ７〜９の最大吸収トルクの合計の上限値を設定する場合には、全ての油圧ポンプ７〜９における吸収トルクの合計が所定値以下になるように設定されたマップを参照して制御を行えばよい。
＜最大吸収トルク制御の内容＞
ここでは、上述した制御によって油圧ポンプ７〜９の最大吸収トルクを低下させる制御について、ローダ用油圧ポンプ８を例に挙げて詳しく説明する。
【００４８】
上述したように、ＰＣ弁１９は、油圧ポンプ８の吐出圧Ｐpをパイロット圧として入力し、吐出圧Ｐpに応じた駆動圧油をサーボ弁２０に供給することで、油圧ポンプ８の容量ｑを制御している。
そして、ローダ用油圧ポンプ８では、油圧負荷、すなわち吸収トルクが最大吸収トルクを超えない範囲で、ポンプ吐出圧に応じてポンプ容量ｑが制御される。
【００４９】
ここで、ＰＣ弁１９には、上述した制御によってコントローラ１８から制御信号ｉ１が入力されており、この制御信号ｉ１に応じて最大吸収トルクが制御される。この制御信号ｉ１によってＰＣ弁１９に与えられる電流値が高くなればなるほど、最大吸収トルク値が小さな値に設定される。
したがって、上述した制御によって得られたＰＣ−ＥＰＣ電流値をＰＣ弁１９に与えることにより、エンジン１の目標回転数Ｎｅおよび実回転数Ｎｏを参照して、ローダ用油圧ポンプ８の吸収トルクを小さくすることができる。
【００５０】
＜油圧ポンプ７〜９ごとの吸収トルク配分制御＞
本実施形態のエンジン負荷制御装置３０では、各油圧ポンプ７〜９の最大吸収トルクをそれぞれ設定し、その回転数の偏差に対応する合計吸収トルクを設定する。そして、そのときのエンジン１の実回転数Ｎｏに基づいて、図６に示すグラフを参照して、その総吸収トルクの各油圧ポンプ７〜９に対する配分比率を決定する。
【００５１】
すなわち、コントローラ１８は、上述した目標回転数Ｎｅと実回転数Ｎｏとの偏差に基づいて設定された上限値となる吸収トルクの合計値について、図６に示すグラフを参照して実回転数Ｎｏに応じて３つの油圧ポンプ７〜９に対する配分比率を設定する。
具体的には、図６のグラフとして表されたマップでは、原則として、ステアリング用油圧ポンプ７≒ローダ用油圧ポンプ８＞ファン用油圧ポンプ９という優先度の中で、実回転数Ｎｏに応じて、ステアリング用油圧ポンプ７、ローダ用油圧ポンプ８およびファン用油圧ポンプ９への吸収トルクの配分比率が設定されている。なお、この優先度は、ホイルローダ５０を操作する際における安全面、操作面を考慮して重要度が高いか否かに応じて設定されたものである。例えば、ステアリングやローダは、ホイルローダ５０によって作業を行う際には、特に重要度が高いものであるから、ファン用油圧ポンプ９と比較して、ステアリング用油圧ポンプ７およびローダ用油圧ポンプ８の優先度が高くなるように設定されている。
【００５２】
例えば、回転数の偏差Ｎｅ−Ｎｏが比較的小さい値（２００ｒｐｍ）の場合には、図７に示すように、実回転数Ｎｏに関わらず、実回転数Ｎｏ１を除いて、最大吸収トルクのトータル（合計）は９０％となる（実回転数Ｎｏ＝２３００の場合はエンジン１の出力が大きいため例外的に８０％となっている。）。また、偏差Ｎｅ−Ｎｏの値が大きくなるにつれて、エンジン１への負荷を低減するために、各油圧ポンプ７〜９のトータルの最大吸収トルクは５０〜６０％まで低減される。
【００５３】
そして、その時の各油圧ポンプ７〜９に対する吸収トルクの配分比率としては、図８に示すように、上限が設定された吸収トルクの合計を１０とすると、偏差Ｎｅ−Ｎｏが比較的小さい値（２００ｒｐｍ）である場合には、ステアリング用油圧ポンプ７とローダ用油圧ポンプ８とファン用油圧ポンプ９とに対しては、３：６：１の配分比率によって最大吸収トルクが設定される。つまり、回転数の偏差Ｎｅ−Ｎｏが比較的小さい値（２００ｒｐｍ）である場合には、ローダ用油圧ポンプ８の配分比率を最も高くするように設定される。
【００５４】
一方、実回転数Ｎｏ＝７５０ｒｐｍであって回転数の偏差Ｎｅ−Ｎｏ＝１５００の場合には、ステアリング用油圧ポンプ７とローダ用油圧ポンプ８とファン用油圧ポンプ９とに対しては、５：４：１の配分比率によって最大吸収トルクが設定される。つまり、回転数の偏差Ｎｅ−Ｎｏが比較的大きい値（１５００ｒｐｍ）である場合には、ローダ用油圧ポンプ８の配分比率よりもステアリング用油圧ポンプ７の配分比率を高くするように設定される。よって、実回転数Ｎｏ＝７５０ｒｐｍであって回転数の偏差Ｎｅ−Ｎｏ＝１５００の場合には、図７に示すように、最大吸収トルクの合計値も５０％まで低減されているため、最大吸収トルクの合計値が低減されている場合の配分比率の設定制御では、ステアリング用油圧ポンプ７の優先度を最も高くするように設定される。
【００５５】
同様に、実回転数Ｎｏ＝１０００ｒｐｍの場合でも、回転数の偏差Ｎｅ−Ｎｏが２００から１２００になると、図７に示すように、最大吸収トルクの合計も９０％から６０％まで低減されることから、その場合の各油圧ポンプ７〜９への配分比率も３：６：１から４：５：１へと変更される。
さらに、実回転数Ｎｏ＝１３００ｒｐｍの場合も同様に、回転数の偏差Ｎｅ−Ｎｏが２００から１０００になると、図７に示すように、最大吸収トルクの合計も９０％から６０％まで低減されることから、その場合の各油圧ポンプ７〜９への配分比率も３：６：１から４：５：１へと変更される。
【００５６】
本実施形態に係るエンジン負荷制御装置３０では、以上のように、まず、コントローラ１８が、エンジン１の目標回転数Ｎｅと実回転数Ｎｏとの偏差Ｎｅ−Ｎｏの大きさに応じて３つの油圧ポンプ７〜９の最大吸収トルクの合計値に上限を設定する。そして、コントローラ１８が、その最大吸収トルクの合計値の配分比率を、実回転数Ｎｏに基づいて設定する。
【００５７】
これにより、例えば、ローアイドル状態において、アクセルペダル１７を踏込んだのとほぼ同時にステアリングや作業機用レバー等が操作された場合には、当初の目標回転数Ｎｅと実回転数Ｎｏとの偏差Ｎｅ−Ｎｏが大きくなるため、３つの油圧ポンプ７〜９に対して設定される最大吸収トルクの合計値の上限を設定することで、エンジン１の負荷を低減してエンジン１の吹き上がり性を向上させることができる。そして、ここで上限値が設定された最大吸収トルクの合計値を、実回転数Ｎｏに応じて各油圧ポンプ７〜９に対する配分比率を設定することで、実回転数Ｎｏが低いときにはエンジン１の出力も小さいため、各油圧ポンプ７〜９の優先度に応じて最大吸収トルクを適切に配分することができる。
【００５８】
この結果、ローアイドル状態からのエンジン１の吹き上がり性を向上させつつ、エンジン１の出力が低い場合でも、各油圧ポンプ７〜９の重要度に応じて最大吸収トルクを適切に配分して、ステアリングや作業機等の操作性、応答性を向上させることができる。
＜エンジン１の負荷低減制御の流れ＞
ここでは、上述したエンジン１の負荷低減制御の流れを、図９を用いて説明する。
【００５９】
すなわち、ステップＳ１において、例えば、作業機用操作レバーとアクセルペダル１７とがほぼ同時に操作されると、ステップＳ２において、コントローラ１８が、エンジン回転数センサ１ａおよびアクセルペダル１７のストロークセンサ１７ａにおける検出結果に基づいて、目標回転数Ｎｅと実回転数Ｎｏとの偏差を算出する。
次に、ステップＳ３では、コントローラ１８が、この偏差（Ｎｅ２−Ｎｏ２）＞２００であるか否かを判定する。ここで、回転数の偏差が上記条件を満たす場合には、そのままステップＳ４へ進み、上記条件を満たさない場合にはステップＳ１へと戻って、作業機用操作レバーとアクセルペダル１７とがほぼ同時に操作されたことが検出されるまで待機する。なお、ここで偏差（Ｎｅ２−Ｎｏ２）＞２００を、油圧ポンプ７〜９の最大吸収トルクを低減するエンジン負荷低減制御の開始条件としたのは、最大吸収トルクを１００％より低下させる制御が開始される回転数の偏差の最小値が、ローダ用油圧ポンプ８におけるＮｅ−Ｎｏ＞２００であるためである。
【００６０】
次に、ステップＳ４において、エンジン1の実回転数Ｎｏの大きさに応じて、油圧ポンプ７〜９の最大吸収トルクの合計値の上限を設定する。
次に、ステップＳ５において、エンジン１の実回転数Ｎｏに基づいて、ステップＳ４において上限値が設定された最大吸収トルクを各油圧ポンプ７〜９に対して配分する比率を設定する。
【００６１】
次に、ステップＳ６では、ステップＳ５において設定された配分比率に基づいて、各油圧ポンプ７〜９の最大吸収トルクの低減する制御を行う。
［エンジン負荷制御装置３０の特徴］
（１）
本実施形態のエンジン負荷制御装置３０は、図２に示すように、ローダ用油圧ポンプ８のような可変容量型油圧ポンプを介してローダ用油圧シリンダ１４等の油圧アクチュエータにエンジン１の出力を伝達するホイルローダ５０に搭載されている。そして、コントローラ１８は、エンジン回転数センサ１ａおよびストロークセンサ１７ａにおいて検出されたエンジン１の目標回転数Ｎｅと実回転数Ｎｏとの偏差Ｎｅ−Ｎｏに基づいて、記憶部２２に予め格納されている図６に示すグラフを参照して、各油圧ポンプ７〜９の最大吸収トルクの合計値を調整するとともに、この最大吸収トルクの合計値を各油圧ポンプ７〜９に対して適切に配分する。
【００６２】
これにより、目標回転数Ｎｅと実回転数Ｎｏとの偏差が大きくエンジン１の負荷が大きい場合には、３つの油圧ポンプ７〜９へのエンジン出力を低減して、エンジン１の吹き上がり性を向上させることができる。さらには、このとき設定された最大吸収トルクの合計値を、例えば、実回転数Ｎｏに応じて各油圧ポンプ７〜９に対して適切に配分することで、低減された最大吸収トルクを優先度の高い油圧ポンプに対して優先的に配分することができる。この結果、エンジン１の吹き上がり性とともに、作業機やステアリング等の操作性、応答性を向上させて、ホイルローダ５０による作業効率を向上させることができる。
【００６３】
（２）
本実施形態のエンジン負荷制御装置３０では、コントローラ１８が、図６等に示すように、ステアリング用油圧ポンプ７やローダ用油圧ポンプ８のような重要度の高い油圧ポンプに対して最大吸収トルクが多く配分されるように設定されたマップを記憶部２２に格納している。
【００６４】
これにより、例えば、ローアイドル状態のようにエンジン１の出力が小さい場合でも、大きく低減された最大吸収トルクの約半分程度をステアリング用油圧ポンプ７等に対して配分することで、各油圧ポンプ７〜９の重要度に応じて適切に吸収トルクを配分することができる。
（３）
本実施形態のエンジン負荷制御装置３０では、図９に示すように、まず、エンジン１の目標回転数Ｎｅと実回転数Ｎｏとの偏差Ｎｅ−Ｎｏに基づいて、各油圧ポンプ７〜９における最大吸収トルクの合計値に上限を設定する。
【００６５】
これにより、目標回転数Ｎｅと実回転数Ｎｏとの偏差が大きくエンジン１に負荷がかかっている場合には、まずは各油圧ポンプ７〜９の最大吸収トルクの合計値を低減するように設定することで、各油圧ポンプ７〜９への吸収トルクの配分比率には関係なく、確実にエンジン１の付加を低減して吹き上がり性を向上させることができる。
（４）
本実施形態のエンジン負荷制御装置３０では、図９に示すように、まず、エンジン１の目標回転数Ｎｅと実回転数Ｎｏとの偏差Ｎｅ−Ｎｏに基づいて、各油圧ポンプ７〜９における最大吸収トルクの合計値に上限を設定した後、実回転数Ｎｏに基づいて、各油圧ポンプ７〜９に対する吸収トルクの配分比率を設定する。
【００６６】
これにより、実回転数Ｎｏが小さくエンジン１の出力が小さい場合と、実回転数Ｎｏが大きくエンジン１の出力が大きい場合とで、各油圧ポンプ７〜９に対する吸収トルクの配分比率を変更することができる。この結果、例えば、実回転数Ｎｏが小さくエンジン１の出力自体が低い場合には、重要度が高いステアリング用油圧ポンプ７に対して優先的に少ない吸収トルクを配分するように制御を行うことができる。よって、エンジン１の出力がどれだけ小さくなった場合でも、ステアリングの応答性が低下してしまうような危険性を回避することができる。
【００６７】
（５）
本実施形態のエンジン負荷制御装置３０では、図２に示すように、コントローラ１８によって最大吸収トルクが制御される制御対象として、ステアリング用油圧ポンプ７、ローダ用油圧ポンプ８およびファン用油圧ポンプ９を用いている。
これにより、各油圧ポンプ７〜９において重要度に差がある場合には、例えば、エンジン１の実回転数Ｎｏが小さくエンジン１の出力が低い場合には、ステアリング等の操作の応答性が低下しないように、ステアリング用油圧ポンプ７の最大吸収トルクの配分を多めに設定することができる。この結果、エンジン１の負荷を低減しつつ、ステアリング等の操作時における応答性を必要最小限で維持することができる。
【００６８】
（６）
本実施形態のエンジン負荷制御装置３０では、図３等に示すように、上記回転数の偏差Ｎｅ−Ｎｏに応じて各油圧ポンプ７〜９の最大吸収トルクを低減する制御を行う際には、各油圧ポンプ７〜９に接続されたＰＣ弁１９に対して付与されるＰＣ−ＥＰＣ電流を調整することで制御を行う。
【００６９】
これにより、コントローラ１８においてＰＣ−ＥＰＣ電流を制御することで、容易に各油圧ポンプ７〜９における吐出量を調整して、最大吸収トルクの低減量を調整することができる。
（７）
本実施形態のエンジン負荷制御装置３０では、図２に示すように、エンジン１の目標回転数を検出する手段として、アクセルペダル１７に取り付けられたストロークセンサ１７ａを用いている。
【００７０】
これにより、アクセルペダル１７の踏込み量に応じて、適宜正確にエンジン１の目標回転数を検出することができるため、上記回転数の偏差Ｎｅ−Ｎｏを正確に算出することができる。
［他の実施形態］
以上、本発明の一実施形態について説明したが、本発明は上記実施形態に限定されるものではなく、発明の要旨を逸脱しない範囲で種々の変更が可能である。
【００７１】
（Ａ）
上記実施形態では、エンジン１の目標回転数と実回転数との偏差が所定値以上である場合に複数の油圧ポンプ７〜９の最大吸収トルクを低減する制御を行う際には、ステアリング用油圧ポンプ７、ローダ用油圧ポンプ８、ファン用油圧ポンプ９の順に優先度を設定して、各油圧ポンプ７〜９に対して吸収トルクを配分するように設定されたマップ（図６参照）を参照して制御を行う例を挙げて説明した。しかし、本発明はこれに限定されるものではない。
【００７２】
各油圧ポンプに対して設定された優先度として、例えば、ローダ用油圧ポンプ、ステアリング用油圧ポンプ、ファン用油圧ポンプの順に設定し、吸収トルクを配分するように設定されたマップを参照して制御を行ってもよい。
また、優先度に応じた最大吸収トルクの配分割合についても、上記実施形態の例に限定されるものではなく、適宜配分割合を変更できるように複数のマップを用意しておいてもよい。
【００７３】
（Ｂ）
上記実施形態では、エンジン１の目標回転数と実回転数との偏差が所定値以上である場合に複数の油圧ポンプ７〜９の最大吸収トルクを低減する制御を行う際には、実回転数に応じて各油圧ポンプ７〜９への配分比率を変更するように設定されたマップに基づいて制御を行う例を挙げて説明した。しかし、本発明はこれに限定されるものではない。
【００７４】
例えば、図１１に示すように、実回転数の代わりに、目標回転数に基づいて各油圧ポンプへの吸収トルクの配分比率を変更するように設定されたマップを参照して制御を行ってもよい。
この場合には、目標回転数が高いということは、例えば、アクセルペダルが深い位置まで踏込まれていることを意味するため、目標回転数が高い場合にはエンジン出力も上昇し易いものと判断して各油圧ポンプへの吸収トルクの配分比率を設定することができる。一方、目標回転数が低いということは、例えば、アクセルペダルの踏込み量が浅いことを意味するため、目標回転数が低い場合にはエンジン出力が上昇しにくいものと判断して各油圧ポンプへの吸収トルクの配分比率を設定することができる。
【００７５】
（Ｃ）
上記実施形態では、最大吸収トルクを低減する制御対象となる油圧ポンプとして、３つの油圧ポンプ（ステアリング、ローダ、ファン）７〜９を搭載したホイルローダ５０を例として挙げて説明した。しかし、本発明はこれに限定されるものではない。
例えば、作業機用の油圧ポンプを１つだけ、あるいは４つ以上搭載したホイルローダ等の作業車両に対しても、本発明の適用は可能である。
【００７６】
なお、上記実施形態のように、複数の油圧ポンプを搭載した作業車両であっても、制御対象とする油圧ポンプを１つあるいは２つに限定して、最大吸収トルクを制御するようにしてもよい。
（Ｄ）
上記実施形態では、図２に示すように、ストロークセンサ１７ａにおいて検出されるアクセルペダル１７の踏込み量に応じて、エンジン１の目標回転数を検出する例を挙げて説明した。しかし、本発明はこれに限定されるものではない。
【００７７】
例えば、オペレータの意思としてのアクセル操作レバー等、回転数をオペレータが指示するものであれば、本発明の適用は同様に可能である。
（Ｅ）
上記実施形態では、図３等に示すように、各油圧ポンプ７〜９の最大吸収トルクを制御する手段として、各油圧ポンプ７〜９における吐出量を調整するためのＰＣ−ＥＰＣ電流を制御する例を挙げて説明した。しかし、本発明はこれに限定されるものではない。
【００７８】
例えば、各油圧ポンプの最大吸収トルクを調整する手段としては、ＰＣ−ＥＰＣ電流の調整以外の方法を用いてもよい。
（Ｆ）
上記実施形態では、本発明に係るエンジン負荷制御装置としてのコントローラ１８を、図１に示すように、ホイルローダ５０に搭載した例を挙げて説明した。しかし、本発明はこれに限定されるものではない。
【００７９】
例えば、油圧ショベルや油圧クレーン等の他の建設機械に対しても、本発明を適用することは可能である。
【産業上の利用可能性】
【００８０】
本発明の作業車両のエンジン負荷制御装置は、単純に複数の可変容量型油圧ポンプの最大吸収トルクを均一に低減する制御と比較して、各可変容量型油圧ポンプの特性や重要度に応じて最適な制御を行うことで、作業性の高い作業車両を提供できるという効果を奏することから、エンジンの出力によって油圧ポンプを駆動する各種作業車両に対して広く適用可能である。
【図面の簡単な説明】
【００８１】
【図１】本発明の一実施形態に係る作業車両のエンジン負荷制御装置を搭載したホイルローダの構成を示す側面図。
【図２】図１のホイルローダに搭載されたエンジン負荷制御装置の構成を示す制御ブロック図。
【図３】図２に含まれるローダ用油圧ポンプのＰＣ制御ブロック図。
【図４】図２に含まれるコントローラの入出力情報を示す制御ブロック図。
【図５】エンジン回転数とエンジントルクとの関係を示すグラフ。
【図６】３つの油圧ポンプの総吸収トルクと実回転数と目標回転数の偏差との関係を示す３次元グラフ。
【図７】実回転数と回転数差と総吸収トルクとの関係を示すテーブル。
【図８】実回転数と回転数差と各油圧ポンプへの吸収トルクの配分比との関係を示すテーブル。
【図９】本発明の一実施形態に係るエンジンの負荷低減制御の流れを示すフローチャート。
【図１０】本発明の他の実施形態に係る作業車両のエンジン負荷制御装置に設定された各油圧ポンプと目標回転数とに応じて変化する吸収トルクの配分比を示すテーブル。
【符号の説明】
【００８２】
１      エンジン
１ａ    エンジン回転数センサ（実回転数検出部）
２      トルクコンバータ
３      トランスミッション
４      デファレンシャルギア
５      駆動輪
６      ＰＴＯ（パワーテイクオフ）機構
７      ステアリング用油圧ポンプ（可変容量型油圧ポンプ）
７ａ    斜板
７ｂ    吐出圧センサ
８      ローダ用油圧ポンプ（可変容量型油圧ポンプ）
８ａ    斜板
９      ファン用油圧ポンプ（可変容量型油圧ポンプ）
９ａ    斜板
１０      トルコン潤滑用油圧ポンプ
１１      ステアリング用制御弁
１２      ローダ用制御弁
１３      ステアリング用油圧シリンダ（アクチュエータ）
１４      ローダ用油圧シリンダ（アクチュエータ）
１５      ファン用油圧モータ（アクチュエータ）
１６      ファン
１７      アクセルペダル（回転数指示装置）
１７ａ    ストロークセンサ（目標回転数検出部）
１８      コントローラ（制御部、偏差量算出部）
１９      ＰＣ弁
２０      サーボ弁
２１      エンジンコントローラ
２２      記憶部
３０      エンジン負荷制御装置（作業車両のエンジン負荷制御装置）
５０      ホイルローダ（作業車両）
５１      車体
５２      リフトアーム
５３      バケット
５４      タイヤ
５５      キャブ
Ｎｅ      目標回転数
Ｎｏ      実回転数
Ｓ      ステップ
【図１】
2008169593.tif 000003
【図２】
2008169593.tif 000004
【図３】
2008169593.tif 000005
【図４】
2008169593.tif 000006
【図５】
2008169593.tif 000007
【図６】
2008169593.tif 000008
【図７】
2008169593.tif 000009
【図８】
2008169593.tif 000010
【図９】
2008169593.tif 000011
【図１０】
2008169593.tif 000012